(57)【要約】【課題】  線香を多少傾けて差しても問題がなく、扱いが容易でいて線香を完全に燃焼させることができる線香立て具を提供すること。【解決手段】  線香立て具は、台座５と、ここに底部を外嵌された筒状の筒状部３と、筒状部３内の台座５上に充填された不燃性繊維からなる底面部４と、筒状部３の上部に線香支持孔２１ａ・２１ｂを備え充填された不燃性繊維からなる線香支持部２とから構成される。線香Ｓ１は、上端開口部２２ａに挿入するだけで容易かつ確実に直立させることができる。点火された線香Ｓ１は、燃焼部Ｆが線香支持孔２１ｂ内に移動した線香Ｓ２の状態になっても燃焼熱を奪われることなく、かつ空気が供給されるため線香支持孔２１ｂ内で燃焼する。この状態であるとタールの発生が少なく線香支持孔２１ｂが汚損されることがない。また、底面部４により線香Ｓ２は安全な状態で完全に燃焼しきる。【選択図】      図３
2005131270.tif 000002
【特許請求の範囲】
【請求項１】
上端面から下端面まで貫通した線香の直径と略同径の線香支持用の１以上の線香支持孔が形成された、不燃性繊維からなる通気性のある線香支持部と、
前記線香支持孔に貫通された線香の下端部が当接する不燃性繊維が敷設された底面部と、
前記線香支持孔を鉛直方向に向けた状態で、且つ当該線香支持孔の下端開口部が底面部から所定高さ離間させて開放された空間を維持するように前記線香支持部を支持する脚部と
を備えた線香立て具。
【請求項２】
前記線香支持孔の下端開口部から底面部までの高さｈは、当該下端開口部の鉛直下の底面部上の点から前記底面部の端縁までの距離ｒより小さく構成されていることを特徴とする請求項１に記載の線香立て具。
【請求項３】
前記脚部は、前記下端開口部と連通している排出口を備えた筒状に形成され、
前記脚部の上方に前記線香支持部を側面から支持する側面部が連続して一体に設けられ、
前記筒状の脚部の下端には前記底面部が設けられている
ことを特徴とする請求項１又は請求項２に記載の線香立て具。
【請求項４】
上端面から下端面まで貫通した線香の直径と略同径の線香支持用の１以上の線香支持孔が形成された、不燃性繊維からなる通気性のある線香支持部と、
前記線香支持孔を鉛直方向に向けた状態で、且つ当該線香支持孔の下端開口部が接地面から所定高さ離間させて開放された空間を維持するように接地面に載置されて前記線香支持部を支持する脚部と
を備えた線香立て具。
【請求項５】
上端面から下端面まで貫通した線香の直径と略同径の線香支持用の１以上の線香支持孔が形成された、不燃性繊維からなる通気性のある線香支持部と、
線香を立てるための灰を収容した香炉において、前記線香支持孔を鉛直方向に向けた状態で、且つ当該線香支持孔の下端開口部が前記灰の表面から所定高さ離間させて開放された空間を維持するように前記灰に突き刺して前記線香支持部を支持する脚部と
を備えた線香立て具。
【発明の詳細な説明】
【技術分野】
【０００１】
本発明は、線香立て具に係り、詳しくは線香を１本ずつたてる線香立てに関する。
【背景技術】
【０００２】
仏事のみならずアロマテラピー、室内の芳香など目的で線香が焚かれることがある。従来、一般の仏事用の線香立てでは、容器の中の灰に線香を突き刺して立てるようにしていた。また、アロマテラピー等では金属や陶器製の線香立てに開口された穴に線香を立てていた。これらは、いずれも線香の支持部分が燃え残ることが多く、最後まで燃やしきれないという問題があった。この問題に対しては、特許文献１に示すような、容器の内底面に、層状に積層した炭素繊維の不織シ−トのマットを金属板又は樹脂板からなる板状材を介して接着し、表面に切れ目を設けて線香の支持手段とした線香支持具が提案された。この線香支持具では、容易で安定的かつ安全に棒状線香を立てることを可能とし、線香を残存させることなく燃やすことができた。しかし、この線香支持具も使用の度に灰が不織シートの目の間に押し込まれて切れ目から灰が排出できずに溜まるため、その清掃が煩わしく、また清掃を怠ると、線香がだんだん進入できなくなってくる。また、無理に切れ目の灰を排出しようとすると切れ目が大きくなって線香が倒れてしまうという問題があった。
【０００３】
そこで、本発明者は、特許文献２に示すような香炉用の線香立て器を提案した。この香炉用線香立て器では、線香が真っすぐ立ち、途中で火の消えないガラス繊維の線香角度制御ガイドと線香の燃え残りが出来ないよう極細の金属線を使用した朝顔型三段階絞りの螺線状の燃焼筒、線香の燃焼を促進させる突起を備えて構成されている。このような香炉用の線香立て器であれば、線香を真っ直ぐ立てて、朝顔型三段階絞りの螺線状の燃焼筒により最後まで完全に燃焼させることができた。また、灰もこの燃焼筒から容易に排除できるので清掃も極めて容易にできた。
【特許文献１】特開平１０−４３０３６号公報
【特許文献２】特開２００１−２５２１７５公報
【発明の開示】
【発明が解決しようとする課題】
【０００４】
ところが、この朝顔型三段階絞りの螺線状の燃焼筒では、線香を傾けて差した場合に線香の下端がこの燃焼筒から外れて傾いた状態で支持されたりする問題があった。さらに、この燃焼筒は線香を完全に燃焼させるため極細の金属線を使用しているため線香を傾けて強く押し込むと燃焼筒自体が変形する虞もあったため、取扱いには多少の注意が必要であった。
【０００５】
また、複数の線香を立てるためには、線香の数に応じた複数の燃焼筒が必要になるなど、所定の機能を発揮させるために、やや複雑な形状となっているため、清掃作業が煩雑になったり、製造行程が多くなるという問題があった。
【０００６】
本発明は、上記問題を解決するため、線香を多少傾けて差しても問題がなく、扱いが容易でいて線香を完全に燃焼させることができる線香立て具を提供することを目的とする。
【課題を解決するための手段】
【０００７】
前記課題を解決するため、請求項１に係る線香立て具では、上端面から下端面まで貫通した線香の直径と略同径の線香支持用の１以上の線香支持孔が形成された、不燃性繊維からなる通気性のある線香支持部と、前記線香支持孔に貫通された線香の下端部が当接する不燃性繊維が敷設された底面部と、前記線香支持孔を鉛直方向に向けた状態で、且つ当該線香支持孔の下端開口部が底面部から所定高さ離間させて開放された空間を維持するように前記線香支持部を支持する脚部とを備えたことを要旨とする。
【０００８】
請求項２に係る線香立て具では、請求項１に記載の線香立て具の構成に加え、前記線香支持孔の下端開口部から底面部までの高さｈは、当該下端開口部の鉛直下の底面部上の点から前記底面部の端縁までの距離ｒより小さく構成されていることを要旨とする。
【０００９】
請求項３に係る線香立て具では、請求項１又は請求項２に記載の線香立て具の構成に加え、前記脚部は、前記下端開口部と連通している排出口を備えた筒状に形成され、前記脚部の上方に前記線香支持部を側面から支持する側面部が連続して一体に設けられ、前記筒状の脚部の下端には前記底面部が設けられていることを要旨とする。
【００１０】
請求項４に係る線香立て具では、上端面から下端面まで貫通した線香の直径と略同径の線香支持用の１以上の線香支持孔が形成された、不燃性繊維からなる通気性のある線香支持部と、前記線香支持孔を鉛直方向に向けた状態で、且つ当該線香支持孔の下端開口部が接地面から所定高さ離間させて開放された空間を維持するように接地面に載置されて前記線香支持部を支持する脚部とを備えたことを要旨とする。
【００１１】
請求項５に係る線香立て具では、上端面から下端面まで貫通した線香の直径と略同径の線香支持用の１以上の線香支持孔が形成された、不燃性繊維からなる通気性のある線香支持部と、線香を立てるための灰を収容した香炉において、前記線香支持孔を鉛直方向に向けた状態で、且つ当該線香支持孔の下端開口部が前記灰の表面から所定高さ離間させて開放された空間を維持するように前記灰に突き刺して前記線香支持部を支持する脚部とを備えたことを要旨とする。
【発明の効果】
【００１２】
本発明の線香立て具によれば、扱いが容易でいて線香を完全に燃焼させることができるという効果がある。
請求項１に係る発明では、線香支持孔により直立された線香は、線香支持部の通気性のある不燃性繊維を通して空気が供給されて燃焼する。この場合、燃焼温度が抑えられるとともに、灰により閉鎖された状態で、加熱分解された成分等が完全に燃焼してタールなどの発生が少なく線香支持孔に残留する灰もタールなどで汚染されることもない。さらに不燃性繊維が敷設された底面部により下端が支持されているため、底面部との接触により消火することもなく、最後まで完全に燃焼させることができるという効果がある。
【００１３】
そして、燃焼後の灰は底面部の上に残留するが、これらは線香支持部の下の空間から簡単に排除することができる。また、線香支持孔に残留している灰も、次の線香を焚くときに、線香を挿入するだけで簡単に排除できる。したがって、特別な清掃などすることなしに常に完全な状態で使用することができるという効果がある。
【００１４】
加えて、線香下端を底面部の面で支持するため、線香支持孔に挿入された線香が多少傾いていても、線香立て具にも線香にも障害なく使用することができるという効果もある。
請求項２に係る発明では、請求項１に係る線香立て具の効果に加えて、線香支持孔は前記線香支持孔の下端開口部から底面部までの高さｈは、当該下端開口部の鉛直下の点から前記底面部の端縁までの距離ｒより小さく構成されているため、線香の燃焼が下端開口部より下の部分に移行し、燃焼後の灰が崩れて残りの線香が倒れた場合でも、この線香は不燃性繊維が敷設された底面部内に位置するため、そのまま安全に燃焼を継続することができるという効果がある。
【００１５】
請求項３に係る発明では、請求項１又は請求項２に係る発明の効果に加えて、線香立て具全体を１つの筒状の部材で簡単に構成できるため、部品点数も少なく、生産工程も少なくできる。そのため、生産工数や生産コストも低減できるという効果がある。
【００１６】
請求項４に係る発明では、平坦なお皿などにも簡単にセットできる。また、構造もさらにシンプルで製造も容易に低コストにできるという効果がある。この場合、線香下端を線香支持部から少しだけ突出させれば、線香下端はお皿などに接触して消えることもなく、完全に燃焼してしまうという効果がある。
【００１７】
請求項５に係る発明では、灰が収容された香炉に簡単にセットでき、灰が湿って堅くなっているような香炉の場合でも、線香を完全に燃焼させることができるという効果がある。
【発明を実施するための最良の形態】
【００１８】
（第１の実施形態）
以下、本発明を具体化した一実施形態である線香立て具１を図１〜図４にしたがって説明する。
【００１９】
図１は、線香立て具１を示す斜視図である。線香立て具１は、概ね円柱状に形成された線香支持部２と、その側面に外嵌する円筒状の筒状部３と、筒状部３の底部に配置された台座５と台座５の上側に配置された底面部４とを備える。
【００２０】
図２は、線香立て具１の分解斜視図である。線香立て具１は、台座５に筒状部３が嵌合され、筒状部３の底部に不燃性繊維が充填されて底面部４が形成される。また、筒状部３の上部にも不燃性繊維が充填されて線香支持部２が形成される。線香支持部２の上端面２４には、上端開口部２２ａ，２２ｂが開口している。
【００２１】
図３、図４は、図１におけるＡ−Ａ線から見た線香立て具１の垂直断面を示す断面図である。この線香支持部２には、図３に示すように、線香支持孔２１ａ，２１ｂ（以下、特に区別しない場合は「線香支持孔２１」という。）が貫通しており、線香支持部２の上端面２４の上端開口部２２ａ，２２ｂ（以下、特に区別しない場合は「上端開口部２２」という。）と、連通している。この線香支持孔２１は、使用時に線香が鉛直方向になるように形成されている。また、線香支持孔２１の太さは、使用したい線香Ｓ１〜Ｓ４（以下、特に区別しない場合は「線香Ｓ」という。）の外径と略同じ径に内径が形成されている。そして、線香支持部２の下端面２５に開口された下端開口部２３ａ，２３ｂ（以下、特に区別しない場合は「下端開口部２３」という。）に連通している。線香支持孔２１は、ガラス繊維を圧縮する際に心棒を配置して固めることで形成される。また、円柱形に形成してから軸を貫通させて穿設するようにしてもよい。
【００２２】
筒状部３は、全体が概ね円筒状で、その内径は、線香支持部２の外径と略同寸である。また、線香支持部２が収容される上部側５分の４の部分は、多数の通気口３１が穿設されており、筒状部３に収容された線香支持部２がその通気口３１から露出している。この線香支持部２が収容された部分が側面部３ａである。筒状部３の材質は、線香支持部２の不燃性繊維を介して直接線香Ｓの燃焼の熱がおよばないため、ＰＥ、ＰＥＴ、ＰＰ、ＰＳ、塩化ビニル等の合成樹脂製、金属製、陶器製、ガラス製、木製など種々の材質が採用しうる。
【００２３】
筒状部３の側面部３ａに続く下部は、側面部３ａから連続して一体に設けられた脚部３ｂが設けられる。脚部３ｂには排出口３２が開口されている。排出口３２は、およそ筒状部３の中心において中心角がおよそ９０度の範囲で、平面視において対向した位置に水平なスリット状に開口した一対の開口部である。また排出口３２は、線香支持部２の下端面２５と底面部４の当接面４１に囲まれた空間に略相当した位置に開口されている。
【００２４】
また、線香脚部３ｂの排出口３２より下部は、開口部を持たない側面部３ａと連続した円筒形に形成されている。
図２に示すように、台座５は、筒状部３より大きな径の円盤状のベース部５１とその上部に設けられた筒状部３の内径と同じ外形の円柱状に形成された挿入部５２を備える。ベース部５１は、例えば金、銅、鉄、真鍮、鉛、等の金属製で、比較的質量が大きく、線香を立てた場合に転倒しないように構成されている。そして、この台座５の挿入部５２が筒状部３の下端部に挿入される。
【００２５】
台座５の挿入部５２が挿入された筒状部３の脚部３ｂの下部には、不燃性繊維が充填され、結果的に不燃性繊維が円柱形に底面部４が形成される。
このように構成された線香立て具１の作用を説明する。図３に示すように、線香Ｓ１は、上端開口部２２ａからその下端部が挿入されて線香支持孔２１ａに進入され、下端開口部２３ａから底面部４の当接面４１に当接するまで挿入される。このとき、線香Ｓ１が完全に鉛直でなくても、線香支持部２が弾力を備えているため、線香Ｓ１を折損しにくくなっている。また、多少の傾きがあっても、線香Ｓ１の下端は必ず十分な広さを持った底面部４に確実に当接して支持される。さらに、万一、線香Ｓ１の下端部が底面部４に達していない場合でも、線香支持部２の弾力により線香Ｓ１が倒れない程度に支持することもでき、問題は生じない。また、底面部４が不燃性繊維から形成されているため、適度な弾力があり、線香Ｓ１を折損することも少ない。この状態から、線香の上端にライターなどで点灯される。ここで、燃焼部Ｆは、外気に露出している。
【００２６】
次に、燃焼が進むにつれ、燃焼灰が生じるが、一般に１〜２ｃｍで崩壊して下方に落ち、線香支持部２の上端面２４や線香立て具１の周囲に堆積する。そして、さらに燃焼が進むと、図３の線香Ｓ２に示すように燃焼部Ｆは、線香支持孔２１ｂ内部に移動する。このとき、不燃性繊維は熱伝導率が低いため、線香Ｓ１の燃焼に必要な熱量を奪うことがない。また燃焼に必要な空気は、通気口３１から線香支持部２の不燃性繊維の間隙を通って燃焼部Ｆに供給される。このとき燃焼灰は、線香支持孔２１ｂ内に維持される。このとき供給される空気量は、外部で燃焼する場合に比べ若干少なくなり燃焼温度も低下するが、燃焼灰により密閉された環境により熱分解により生じた揮発性の燃焼ガスも外部に発散されずに完全燃焼する。したがって、ここでの燃焼は、煙も少なく、いわゆる「タール」の発生が少ないため、線香支持孔２１ｂ内部を「タール」で汚染することが少ない。そのため、燃焼灰はさらさらしたものとなっている。
【００２７】
そして、図４に示す線香Ｓ３のように、燃焼がさらに進み、燃焼部Ｆが下端開口部２３ｃより下部に移動する。このとき、線香Ｓ３の未燃焼の部分の高さは、線香支持部２の下端面２５と底面部４の当接面４１の高さｈより低くなっている。ここで、線香支持孔２１ｃの下端開口部２３ｃから底面部４までの高さｈは、下端開口部２３ｃの鉛直下の底面部４上の点から底面部４の端縁までの距離ｒより小さく構成されている。したがって、燃焼灰が崩壊して線香Ｓ３が転倒しても、燃焼部Ｆが底面部４から飛び出すことがない。そのため、線香Ｓ３が転倒しても、燃焼部Ｆが底面部４上にあるため、燃焼部Ｆの温度低下を招いたり、空気の供給が絶たれたりすることがないため、線香Ｓ３は完全に燃焼する。もちろん、燃焼灰が崩壊しない場合も燃焼が継続して線香Ｓ３が完全燃焼する。さらに、線香Ｓ３の下端が底面部４に達していない場合も、燃焼灰が崩壊しても燃え残りが底面部４上に落下するため、問題なく完全燃焼する。もちろん、燃焼灰が崩壊しない場合は、燃焼部Ｆは空中にあるため完全燃焼することはいうまでもない。
【００２８】
ここで、燃焼部Ｆが下端開口部２３ｃより下部に移動したような場合、熱分解により生じた揮発性の燃焼ガスが外部に発散されやすくなり、煙の発生も多くなり「タール」の付着を生じやすくなる。ところが、燃焼灰が線香支持孔２１ｃを塞いでいるため、この「タール」が多い煙は線香支持孔２１ｃに進入することなく、線香支持孔２１ｃ内をタールで汚損することもない。
【００２９】
そして、線香が完全燃焼した後は、燃焼灰が、図４の線香支持孔２１ｄのように内部に維持されている。この燃焼灰は、前述のように「タール」の付着が少ない、さらさらとした灰である。ここで、次の線香Ｓ４を焚くときは、線香Ｓ４の下端を上端開口部２２ｄから線香支持孔２１ｄに挿入すれば、さらさらとした灰は簡単に線香Ｓ４により下端開口部２３ｄから下方に押し出される。このとき、線香支持孔２１ｄ内は、タールの付着がない。もし、タールが付着していると、熱伝導率が高くなり、燃焼中の線香の熱を奪ってしまい、線香が消火する原因となる。さらに、タールが不燃性繊維の通気性を低下させ空気供給量を低下させるため、この面でも線香を消火させる原因となる。本実施形態では、このようなタールの付着が無いため、線香が安定して燃焼する。また、繰返し使用してもタールの蓄積もなく特別のメンテナンスが不要である。また、底面部４上に押し出された燃焼灰は、線香立て具１を傾けるだけで簡単に排出口３２から排出できる。この場合も、燃焼灰がさらさらしているため、特別な清掃は必要がない。
【００３０】
第１の実施形態の線香立て具１は、上述のような構成・作用により以下のような効果がある。
（１）線香を折損することなく、線香立て具１に極めて容易にセットできる。したがって、老人や子供の使用、あるいは暗い場所での使用も容易であるという効果がある。
【００３１】
（２）また、線香を最後まで完全に燃焼できるという効果がある。
（３）さらに、タールによる汚染などが少なく、煩わしい清掃やメンテナンスが殆ど不要であるという効果がある。
【００３２】
（４）構造がシンプルで、故障部分がないため、故障無く長期に亘り使用できるという効果がある。
（５）線香が短くなって倒れても線香立て具１の外に飛び出すこともなく安全に線香を焚けるという効果がある。
【００３３】
（６）必要に応じて、不燃性繊維を交換することで半永久的に性能を保持することができるという効果がある。
（７）側面部３ａに不燃性繊維を充填するだけで線香支持部２を形成することができるという効果がある。
【００３４】
（８）台座５の質量及び直径により転倒が防止され、倒れにくい線香立て具とすることができるという効果がある。
（第２の実施形態）
次に、本発明を具体化した線香立て具の第２の実施形態を図５にしたがって説明する。なお、第２の実施形態は、第１の実施形態の筒状部３を変更したのみの構成であるため、同様の部分についてはその詳細な説明を省略する。
【００３５】
図５に示す線香立て具１０１の筒状部１０３は、全体が金属のメッシュ状の網から構成されている。この場合、側面部１０３ａと脚部１０３ｂは同一の網から構成されている。このため、通気口１３１は、網状の側面部１０３ａに無数に開口した部分となる。また、排出口１３２は、大きく開口した開口部はなく、メッシュの網目から燃焼灰を排出することになる。
【００３６】
上記実施形態の線香立て具１０１によれば、以下のような効果を得ることができる。
（１）上記実施形態では、大きな開口部を作ることなしに、筒状部１０３がメッシュによる単一の筒状の構造であるため、簡易に組立てることができる。
【００３７】
（第３の実施形態）
次に、本発明を具体化した線香立て具の第３の実施形態を図６にしたがって説明する。なお、第３の実施形態は、第１の実施形態の線香支持部２と、筒状部３とを変更したのみの構成であるため、同様の部分についてはその詳細な説明を省略する。
【００３８】
図６に示す線香立て具２０１の筒状部２０３は、側面部２０３ａは、脚部２０３ｂと一体の概ね筒状に形成され、側面部２０３ａ及び脚部２０３ｂが、スパイラル状に巻回して形成した全体が金属のコイルスプリング状の線状部材から構成されている。この場合、側面部２０３ａは線香支持部２０２の側面全体を覆う物ではなく、線香支持部２０２の下部のみを支持している。この線香支持部２０２は、不燃性繊維を側面部２０３ａに充填して形成するものではなく、予め線香支持孔を備えた円柱形状が形成されており線香支持部２０２が、側面部２０３ａに着脱可能に構成されている。また、底面部４もシート状の不燃性繊維とすれば、交換が容易になる。
【００３９】
このため、通気口は不要である。また、排出口２３２は、大きく開口した線状部材の間隙により構成され、ここから燃焼灰を排出することになる。
上記実施形態の線香立て具２０１によれば、以下のような効果を得ることができる。
【００４０】
（１）上記実施形態では、大きな開口部を作ることなしに、筒状部２０３がコイルスプリング状の線状部材による単一の筒状の構造であるため、簡易に組立てることができる。なお、線香支持部２０２の水平位置が多少ずれても底面部４において問題は生じない。
【００４１】
（２）また、線香支持部２０２が予め形状が形成されているため、線香支持部２０２の交換が極めて容易である。
（第４の実施形態）
次に、本発明を具体化した線香立て具の第４の実施形態を図７にしたがって説明する。なお、第４の実施形態は、第１の実施形態の筒状部３を変更したのみの構成であるため、同様の部分についてはその詳細な説明を省略する。
【００４２】
線香立て具３０１は、筒状部３０３の全体が概ね卵状の形状をしている。このように本発明の側面部及び脚部は、形状には限定が無く、例えば、全体をキャラクターとしたり、様々な形状とすることができる。また、水平断面も円形形状の他、三角形、四角形、星形など、様々な形状とすることができる。また、側面部３０３ａでは、上端部に内側にフランジ状に設けられた線香支持部上部ストッパが設けられ、充填された不燃性繊維を支持することができる。
【００４３】
上記実施形態の線香立て具３０１によれば、以下のような効果を得ることができる。
（１）筒状部３０３を自由な形状に形成することで、使用目的に応じたデザインとすることができるという効果がある。
【００４４】
（２）側面部３０３ａに不燃性繊維を充填する際に、充填された不燃性繊維が意に反し側面部３０３ａの上端から飛び出すことを規制し、側面部３０３ａ内へ充填された不燃性繊維を安定化させるという効果がある。
【００４５】
（第５の実施形態）
次に、本発明を具体化した線香立て具の第５の実施形態を図８にしたがって説明する。なお、第５の実施形態は、第１の実施形態の線香支持部２を変更したのみの構成であるため、同様の部分についてはその詳細な説明を省略する。
【００４６】
本実施形態の線香立て具４０１は、線香支持部４０２が水平方向に大きな寸法となっており、多数の線香支持孔を備える。なお、細長い形状で、横１列に多数の線香を並べるようにしてもよい。
【００４７】
上記実施形態の線香立て具４０１によれば、以下のような効果を得ることができる。
（１）多数の線香を立てることができ、また大量の線香を焚いても、燃え残りも無く線香立て具４０１を傾けるだけで燃焼灰が除去できる。そのため、多数の線香を使用する場合に好適に用いることができるという効果がある。
【００４８】
（第６の実施形態）
次に、本発明を具体化した線香立て具の第６の実施形態を図９にしたがって説明する。なお、第６の実施形態は、第１の実施形態の線香支持部２、筒状部３を変更した構成であるため、同様の部分についてはその詳細な説明を省略する。
【００４９】
第６の実施形態の線香立て具５０１では、側面部５０３ａは、下端部に内側にフランジ状に設けられた線香支持部下部ストッパ５３３が設けられ、充填された前記不燃性繊維を支持する。
【００５０】
また、線香支持孔５２１の位置に維持可能な線香と同径の着脱可能なピン部材である線香支持孔形成ピン５２６を備え、不燃性繊維を側面部５０３ａに充填する際に線香支持孔５２１に維持し、線香支持部５０２が形成された後に抜脱することで線香支持孔５２１を形成する。その後、線香支持孔形成ピン５２６を脱抜した底面部に不燃性繊維を充填して図示しない底面部を形成する。
【００５１】
（１）第６の実施形態の線香立て具５０１では、不燃性繊維を充填する際に、充填された不燃性繊維が意に反し下方に移動することを規制し、側面部内への不燃性繊維の充填を容易にすることができるという効果がある。また、充填された不燃性繊維が意に反し側面部の下方へ飛び出すことを規制し、側面部内へ充填された不燃性繊維を安定化させるという効果がある。
【００５２】
（２）また、線香支持孔形成ピン５２６により、不燃性繊維が充填されて形成される線香支持部５０２に線香支持孔５２１を容易に形成させることができるという効果がある。
（第７の実施形態）
次に、本発明を具体化した線香立て具の第７の実施形態を図１０にしたがって説明する。なお、第７の実施形態は、第１の実施形態の線香支持部２と線香支持部６０２は共通の構成であるため、同様の部分についてはその詳細な説明を省略する。
【００５３】
本実施形態の線香立て具６０１では、円柱形に形成された線香支持部６０２と、この下端面６２５の周縁を支える環状の側面部６０３ａと、この側面部６０３ａから、接地面Ｇに対向して下方に設けられた複数、例えば３本の脚部６０３ｂを備える。脚部６０３ｂは、側面部６０３ａ周縁から平面視１２０°の間隔で半径方向外側に設けられ、脚部の下端は接地面Ｇに載置される。そして、線香支持部６０２を接地面Ｇから離間させている。この場合、線香Ｓの下端を線香支持部６０２からあまり突出させなければ、線香Ｓはその位置で線香支持部６０２の不燃性繊維の弾力により線香支持孔に支持される。そのため、線香Ｓの下端はお皿などに接触することもなく、空中に離間され、消えることもない。そして、最後は、数ミリ程度であれば燃焼灰も崩壊せずに下端開口部６２３の下に維持され、線香Ｓは完全に燃焼してしまう。
【００５４】
本実施形態では、接地面Ｇとして平坦なお皿などにも簡単に線香をセットでき、接地面Ｇの素材を選ばず線香を完全に燃焼させることができる。また、構造もさらにシンプルで製造も容易に低コストにできるという効果がある。
【００５５】
（第８の実施形態）
次に、本発明を具体化した線香立て具の第８の実施形態を図１１にしたがって説明する。なお、第８の実施形態は、第１の実施形態の線香支持部２と線香支持部７０２は共通の構成であるため、同様の部分についてはその詳細な説明を省略する。
【００５６】
本実施形態の線香立て具７０１では、円柱形に形成された線香支持部７０２と、線香を立てるための灰を収容した香炉において、線香支持部７０２を、線香支持孔７２１の下端開口部７２３が灰の表面から所定高さ離間させて開放された空間を維持する脚部７０３ｂように支持する脚部７０３ｂを備える。脚部７０３ｂは、全体が直線状の金属製の軸から形成され、下端には灰に突き刺すための尖鋭な先端部７３５が設けられる。また、先端部７３５が必要以上に沈まないために、鍔状に設けられた円盤状の下部ストッパ７３６が設けられる。また、上部は線香支持部７０２内に配置される軸部７３４が設けられ、線香支持部７０２の位置を安定させるため鍔状に設けられた円盤状の上部ストッパ７３７が設けられる。このように構成された脚部７０３ｂが線香支持部７０２の側面近くに１カ所以上、例えば、３カ所〜数カ所均等に挿入される。このように構成された線香立て具７０１は、灰が収容された仏具用の香炉に脚部７０３ｂの先端部７３５が灰に埋め込まれて使用される。線香Ｓは、下端が灰に接触、若しくは埋没しても、通常の状態であれば完全に燃焼する。灰が非常に湿っていたり、固まっていたりした場合であっても、灰から離間させて用いれば完全に燃焼させることができる。なお、本発明はこのように側面部を持たない形態でも実施可能である。
【００５７】
本実施形態の線香立て具７０１では、灰が収容された香炉において、灰が湿って堅くなっているような場合でも、簡単にセットでき、また線香を完全に燃焼させることができるという効果がある。発生した燃焼灰はそのまま香炉内に排出されるので、まったくメンテナンスが不要である。また、上部ストッパ７３７と下部ストッパ７３６は必須構成ではないが、線香支持部７０２下端と灰表面との距離を一定に保つことができるという効果もある。
【００５８】
○  なお、上記各実施形態において開示された技術は、それぞれ適宜組み合わせて実施できることはもちろんである。例えば、第７、８の実施形態において、線香支持部６０２、７０２に円筒形の側面部を設けたりしてもよい。その他、特許請求の範囲を逸脱しない限度で当業者により変更され、改良されて実施できることはいうまでもない。
【００５９】
次に、上記実施形態及び別例から把握できる技術的思想について、それらの効果とともに以下に追記する。
［付記１］請求項３に記載の線香立て具において、前記側面部は、前記脚部と一体の筒状に形成され、当該側面部は、燃焼用空気を前記線香支持部へ供給するための孔が複数設けられたことを特徴とする線香立て具。
【００６０】
付記１に記載の線香立て具では、請求項３に記載の線香立て具の効果に加え、筒状の側面部の複数の孔により、燃焼中の線香に燃焼に必要な空気を供給することができ線香の燃焼を確実にすることができるという効果がある。
【００６１】
［付記２］請求項１乃至請求項３、又は付記１のいずれか１項に記載の線香立て具において、前記側面部は、前記脚部と一体の筒状に形成され、当該側面部及び前記脚部が、メッシュ状に形成されていることを特徴とする線香立て具。
【００６２】
付記２に記載の線香立て具では、請求項１乃至請求項３、又は付記１のいずれか１項に記載の線香立て具の効果に加え、全体がメッシュ状に形成されているため、燃焼中の線香に燃焼に必要な空気を側面部前面から供給することができ線香の燃焼をさらに確実にすることができるという効果がある。
【００６３】
［付記３］請求項１又は請求項２に記載の線香立て具において、前記側面部は、前記脚部と一体の概ね筒状に形成され、当該側面部及び前記脚部が、線状部材をスパイラル状に巻回して形成したことを特徴とする線香立て具。
【００６４】
付記３に記載された線香立て具では、請求項１又は請求項２に記載の線香立て具の効果に加え、全体がスパイラル状に巻回したコイル状の線状部材により構成されているため、１本の線状部材を巻回するだけで側面部と脚部を形成でき、極めて簡易に製造することができるという効果がある。
【００６５】
［付記４］請求項１乃至請求項３、又は付記１のいずれか１項に記載の線香立て具において、線香立て具の転倒を防止するために底面部の下に質量が側面部より大きいか、最大幅が側面部の直径より大きな台座部が設けられたことを特徴とする線香立て具。
【００６６】
付記４に記載の線香立て具では、請求項１乃至請求項３、又は付記１のいずれか１項に記載の線香立て具の効果に加え、台座部の質量若しくは直径により転倒が防止され、倒れにくい線香立て具とすることができるという効果がある。
【００６７】
［付記５］請求項１乃至請求項５、又は付記１乃至付記４のいずれか１項に記載の線香立て具において、前記線香支持具及び底面部は、それぞれガラス繊維、カーボン繊維、シリカ繊維、セラミック繊維のいずれかから構成されたことを特徴とする線香立て具。
【００６８】
付記５に記載の線香立て具では、請求項１乃至請求項５、又は付記１乃至付記４のいずれか１項に記載の線香立て具の効果に加え、燃焼している線香に直接触れる線香支持具及び底面部が、それぞれ耐熱性が高く、通気性が良く、かつ熱伝導性の低いガラス繊維、カーボン繊維、シリカ繊維、セラミック繊維から構成されているため、ここに触れた線香が消えることなく燃焼できるという効果がある。
【００６９】
［付記６］請求項３、又は付記１乃至付記５に記載のいずれか１項に記載の線香立て具において、前記線香支持部は、前記側面部に着脱可能に構成されていることを特徴とする。線香立て具
付記６に記載の線香立て具では、請求項３、又は付記１乃至付記５に記載のいずれか１項に記載の線香立て具の効果に加え、線香支持部を必要に応じて離脱させて清掃したり、あるいは新しい線香支持部と交換することができるという効果がある。
【００７０】
［付記７］請求項３又は付記１乃至付記５のいずれか１項に記載の線香立て具において、前記線香支持部は、前記側面部内に前記不燃性繊維を充填することで形成することを特徴とする線香立て具。
【００７１】
付記７に記載の線香立て具では、請求項３又は付記１乃至付記５のいずれか１項に記載の線香立て具の効果に加え、側面部に不燃性繊維を充填することで線香支持部を形成することができるという効果がある。
【００７２】
［付記８］付記７に記載の線香立て具において、前記側面部は、下端部に内側にフランジ状に設けられた線香支持部下部ストッパが設けられ、充填された前記不燃性繊維を支持することを特徴とする線香立て具。
【００７３】
付記８に記載の線香立て具では、付記７に記載の線香立て具の効果に加え、不燃性繊維を充填する際に、充填された不燃性繊維が意に反し下方に移動することを規制し、側面部内への不燃性繊維の充填を容易にすることができるという効果がある。また、充填された不燃性繊維が意に反し側面部の下方へ飛び出すことを規制し、側面部内へ充填された不燃性繊維を安定化させるという効果がある。
【００７４】
［付記９］付記７又は付記８に記載の線香立て具において、前記側面部は、上端部に内側にフランジ状に設けられた線香支持部上部ストッパが設けられ、充填された前記不燃性繊維を支持することを特徴とする線香立て具。
【００７５】
付記９に記載の線香立て具では、付記７又は付記８に記載の線香立て具の効果に加え、不燃性繊維を充填する際に、充填された不燃性繊維が意に反し側面部の上端から飛び出すことを規制し、側面部内へ充填された不燃性繊維を安定化させるという効果がある。
【００７６】
［付記１０］付記７乃至付記９のいずれか１項に記載線香立て具において、前記線香支持孔の位置に維持可能な線香と同径の着脱可能なピン部材である線香支持孔形成ピンを備え、不燃性繊維を前記側面部に充填する際に線香支持孔に維持し、線香支持部が形成された後に抜脱することで線香支持孔を形成することを特徴とする線香立て具。
【００７７】
付記１０に記載の線香立て具では、付記７乃至付記９のいずれか１項に記載線香立て具の効果に加え、線香支持孔形成ピンにより、不燃性繊維が充填されて形成される線香支持部に線香支持孔を容易に形成させることができるという効果がある。
【図面の簡単な説明】
【００７８】
【図１】線香立て具１を示す斜視図。
【図２】線香立て具１の分解斜視図。
【図３】図１におけるＡ−Ａ線から見た線香立て具１の垂直断面を示す断面図。
【図４】図１におけるＡ−Ａ線から見た線香立て具１の垂直断面を示す断面図。
【図５】第２の実施形態の線香立て具１０１を示す図。
【図６】第３の実施形態の線香立て具２０１を示す図。
【図７】第４の実施形態の線香立て具３０１を示す図。
【図８】第５の実施形態の線香立て具４０１を示す図。
【図９】第６の実施形態の線香立て具５０１を示す図。
【図１０】第７の実施形態の線香立て具６０１を示す図。
【図１１】第８の実施形態の線香立て具７０１を示す図。
【符号の説明】
【００７９】
Ｇ…接地面、Ｓ，Ｓ１，Ｓ２，Ｓ３，Ｓ４…線香、１，１０１，２０１，３０１，４０１，５０１，６０１，７０１…線香立て具、２，２０２，４０２，５０２，６０２，７０２…線香支持部、３，１０３，２０３，３０３，５０３…筒状部、３ａ，１０３ａ，２０３ａ，３０３ａ，５０３ａ，６０３ａ…側面部、３ｂ，１０３ｂ，２０３ｂ，３０３ｂ，５０３ｂ，６０３ｂ，７０３ｂ…脚部、２１，２１ａ，２１ｂ，２１ｃ，２１ｄ，５２１，７２１…線香支持孔、２２ａ，２２ｂ，２２ｄ…上端開口部、２３ａ，２３ｂ，２３ｃ，２３ｄ，６２３，７２３…下端開口部、２４…上端面、２５，６２５…下端面、３２，１３２，２３２…排出口、４…底面部、５…台座。
【図１】
2005131270.tif 000003
【図２】
2005131270.tif 000004
【図３】
2005131270.tif 000005
【図４】
2005131270.tif 000006
【図５】
2005131270.tif 000007
【図６】
2005131270.tif 000008
【図７】
2005131270.tif 000009
【図８】
2005131270.tif 000010
【図９】
2005131270.tif 000011
【図１０】
2005131270.tif 000012
【図１１】
2005131270.tif 000013